(57)【要約】【課題】 色弱者が識別しづらい特定色の色文字について、背景色およびフォントサイズの両方を考慮して色文字についての対応処理を決定することで、画像内のほとんどすべての色文字を、色弱者にとって区別しやすくかつ見やすくする。【解決手段】  色文字特定部１１は、画像データ２１において色弱者が識別困難な特定色の色文字を特定する。背景色特定部１２は、色文字特定部１１により特定された色文字の背景色を特定する。フォントサイズ特定部１３は、色文字特定部１１により特定された色文字のフォントサイズを特定する。そして、色文字処理部１４は、その色文字の背景色が白色であるか否かおよび色文字のフォントサイズに応じた処理を色文字に施す。【選択図】  図１
2011097203.tif 000002
【特許請求の範囲】
【請求項１】
画像データにおいて色弱者が識別困難な特定色の色文字を特定する色文字特定部と、
前記色文字特定部により特定された色文字の背景色を特定する背景色特定部と、
前記色文字特定部により特定された色文字のフォントサイズを特定するフォントサイズ特定部と、
前記色文字の前記背景色が白色であるか否かおよび前記色文字のフォントサイズに応じた処理を前記色文字に施す色文字処理部と、
を備えることを特徴とする画像処理装置。
【請求項２】
前記色文字処理部は、前記背景色が白色であり、かつ前記色文字のフォントサイズが所定のフォントサイズより小さい場合には、前記色弱者が識別可能な色へ前記色文字の色を変換する色変換処理を行うことを特徴とする請求項１記載の画像処理装置。
【請求項３】
前記色文字処理部は、前記背景色が白色であり、かつ前記色文字のフォントサイズが所定のフォントサイズより小さい場合には、さらに、前記色変換処理後の前記色文字に下線を付加する処理を行うことを特徴とする請求項２記載の画像処理装置。
【請求項４】
前記色文字処理部は、前記背景色が白色であり、かつ前記色文字のフォントサイズが所定のフォントサイズ以上である場合には、前記色文字に対してハッチングを施すことを特徴とする請求項１から請求項３のうちのいずれか１項記載の画像処理装置。
【請求項５】
前記色文字処理部は、前記背景色が白色ではなく、かつ前記色文字のフォントサイズが所定のフォントサイズより小さい場合には、前記色弱者が識別可能な色へ前記色文字の色を変換する色変換処理、または前記背景色との明度差が大きくなるように前記色文字の明度のみを変換する明度差増加処理を行うことを特徴とする請求項１から請求項４のうちのいずれか１項記載の画像処理装置。
【請求項６】
前記色文字処理部は、前記背景色が白色ではなく、かつ前記色文字のフォントサイズが所定のフォントサイズ以上である場合には、前記色文字に対して縁取り処理を施すことを特徴とする請求項１から請求項５のうちのいずれか１項記載の画像処理装置。
【請求項７】
画像データに基づいて画像を形成し出力する画像形成装置において、
前記画像データにおいて色弱者が識別困難な特定色の色文字を処理するために、請求項１から請求項６のうちのいずれか１項記載の画像処理装置を備えること、
を特徴とする画像形成装置。
【発明の詳細な説明】
【技術分野】
【０００１】
本発明は、画像処理装置および画像形成装置に関するものである。
【背景技術】
【０００２】
文字を含む画像について、色覚障害者にとって文字が識別しやすくなるように画像等を処理する装置が提案されている（例えば、特許文献１，２参照）。
【０００３】
そのような装置には、背景図形と文字の濃度差や色相差に応じて文字の濃度や色相を変更する装置がある（例えば特許文献１参照）。
【０００４】
また、そのような装置には、文字のサイズに応じて、文字に対する処理（縁取りなど）を切り換える装置がある（例えば特許文献２参照）。
【先行技術文献】
【特許文献】
【０００５】
【特許文献１】特開２００４−０７８３２５号公報
【特許文献２】特開２００６−１５４９８２号公報
【発明の概要】
【発明が解決しようとする課題】
【０００６】
しかしながら、色弱者の場合、識別できる色相が限られているため、上述の方法等で文字の色を変換すると、色変換していない文字との区別がつきにくくなるなど、文字の色変換によってかえって識別しにくくなることもある。
【０００７】
本発明は、上記の問題に鑑みてなされたものであり、色弱者が識別しづらい特定色の文字（以下、色文字という）について、背景色およびフォントサイズの両方を考慮して色文字についての対応処理を決定することで、画像内のほとんどすべての色文字を、色弱者にとって区別しやすくかつ見やすくする画像処理装置および画像形成装置を得ることを目的とする。
【課題を解決するための手段】
【０００８】
上記の課題を解決するために、本発明では以下のようにした。
【０００９】
本発明に係る画像処理装置は、画像データにおいて色弱者が識別困難な特定色の色文字を特定する色文字特定部と、色文字特定部により特定された色文字の背景色を特定する背景色特定部と、色文字特定部により特定された色文字のフォントサイズを特定するフォントサイズ特定部と、色文字の背景色が白色であるか否かおよび色文字のフォントサイズに応じた処理を色文字に施す色文字処理部とを備える。
【００１０】
これにより、色弱者が識別しづらい色文字について、背景色およびフォントサイズの両方を考慮して対応処理を決定することで、画像内のほとんどすべての色文字が、色弱者にとって区別しやすくかつ見やすくなる。
【００１１】
また、本発明に係る画像処理装置は、上記の画像処理装置に加え、次のようにしてもよい。この場合、色文字処理部は、背景色が白色であり、かつ色文字のフォントサイズが所定のフォントサイズより小さい場合には、色弱者が識別可能な色へ色文字の色を変換する色変換処理を行う。
【００１２】
また、本発明に係る画像処理装置は、上記の画像処理装置のいずれかに加え、次のようにしてもよい。この場合、色文字処理部は、背景色が白色であり、かつ色文字のフォントサイズが所定のフォントサイズより小さい場合には、さらに、色変換処理後の色文字に下線を付加する処理を行う。
【００１３】
また、本発明に係る画像処理装置は、上記の画像処理装置のいずれかに加え、次のようにしてもよい。この場合、色文字処理部は、背景色が白色であり、かつ色文字のフォントサイズが所定のフォントサイズ以上である場合には、色文字に対してハッチングを施す。
【００１４】
また、本発明に係る画像処理装置は、上記の画像処理装置のいずれかに加え、次のようにしてもよい。この場合、色文字処理部は、背景色が白色ではなく、かつ色文字のフォントサイズが所定のフォントサイズより小さい場合には、色弱者が識別可能な色へ色文字の色を変換する色変換処理、または背景色との明度差が大きくなるように色文字の明度のみを変換する明度差増加処理を行う。
【００１５】
また、本発明に係る画像処理装置は、上記の画像処理装置のいずれかに加え、次のようにしてもよい。この場合、色文字処理部は、背景色が白色ではなく、かつ色文字のフォントサイズが所定のフォントサイズ以上である場合には、色文字に対して縁取り処理を施す。
【００１６】
本発明に係る画像形成装置は、画像データにおいて色弱者が識別困難な特定色の色文字を処理するために、上記の画像処理装置のいずれかを備える。
【発明の効果】
【００１７】
本発明によれば、色弱者が識別しづらい色文字について、背景色およびフォントサイズの両方を考慮して色文字についての対応処理を決定することで、画像内のほとんどすべての色文字を、色弱者にとって区別しやすくかつ見やすくすることができる。
【図面の簡単な説明】
【００１８】
【図１】図１は、本発明の実施の形態に係る画像処理装置の構成を示すブロック図である。
【図２】図２は、図１に示す画像処理装置の動作を説明するフローチャートである。
【発明を実施するための形態】
【００１９】
以下、図に基づいて本発明の実施の形態を説明する。
【００２０】
図１は、本発明の実施の形態に係る画像処理装置の構成を示すブロック図である。
【００２１】
この画像処理装置は、プリンタ、コピー機、複合機などの画像形成装置に内蔵され、印刷、表示などの画像出力に使用する画像データ内の、色弱者が識別しづらい色文字について、背景色およびフォントサイズの両方を考慮して色文字についての対応処理を決定し、その対応処理を実行することで、画像内のほとんどすべての色文字を、色弱者にとって区別しやすくかつ見やすくする。
【００２２】
図１に示す画像処理装置は、演算処理装置１、およびその演算処理装置１に接続される記憶装置２を備える。
【００２３】
演算処理装置１は、ＣＰＵ（Central Processing Unit）、ＲＯＭ（Read Only Memory）、ＲＡＭ（Random Access Memory）などを含むコンピュータを有し、ＲＯＭ、記憶装置２などに記憶されているプログラムをＲＡＭにロードしてＣＰＵで実行して各種処理部を実現する。これらの処理部は、処理すべきデータや一時的なデータをＲＡＭに格納しつつ処理を実行する。この演算処理装置１では、色文字特定部１１、背景色特定部１２、フォントサイズ特定部１３、および色文字処理部１４が実現される。
【００２４】
色文字特定部１１は、画像データ２１において色弱者が識別困難な特定色の色文字を特定する処理部である。色文字特定部１１は、画像データから文字を抽出し、その文字の色を特定し、その色が特定色であれば、その文字を上述の色文字として特定する。
【００２５】
色弱者が識別困難な特定色は、一般色覚者とは異なる色として認識されてしまう色であって、背景色との組み合わせによっては文字の存在を認識できないまたはしづらいものとなってしまう色である。そのような色（および色の組み合わせ）は既知であって、色文字特定部１１には、その色の値（および色の組み合わせの情報）を予め設定されている。そして、色文字特定部１１は、各文字とその背景色（または隣接する文字）との色の組み合わせから、その文字が色弱者が識別困難な特定色を有していれば、その文字を上述の色文字として特定する。
【００２６】
背景色特定部１２は、画像データ２１に基づいて、色文字特定部１１により特定された色文字の背景色を特定する処理部である。
【００２７】
フォントサイズ特定部１３は、画像データ２１に基づいて、色文字特定部１１により特定された色文字のフォントサイズを特定する処理部である。
【００２８】
色文字処理部１４は、色文字の前記背景色が白色であるか否かおよび色文字のフォントサイズに応じた処理を色文字に施す処理部である。
【００２９】
色文字処理部１４は、背景色が白色であり、かつ色文字のフォントサイズが所定のフォントサイズより小さい場合には、色弱者が識別可能な色（上述の識別困難な特定色以外の所定の色）へ色文字の色を変換するとともに、色変換処理後の色文字に下線を付加する処理を行う。色文字処理部１４は、背景色が白色であり、かつ色文字のフォントサイズが所定のフォントサイズ以上である場合には、色文字に対してハッチングを施す。
【００３０】
一方、色文字処理部１４は、背景色が白色ではなく、かつ色文字のフォントサイズが所定のフォントサイズより小さい場合には、色弱者が識別可能な色へ色文字の色を変換する色変換処理、または背景色との明度差が大きくなるように色文字の明度のみを変換する明度差増加処理を行う。また、色文字処理部１４は、背景色が白色ではなく、かつ色文字のフォントサイズが所定のフォントサイズ以上である場合には、色文字に対して縁取り処理を施す。
【００３１】
また、記憶装置２は、各種データを記憶する装置である。記憶装置２には、ハードディスクドライブ、半導体メモリなどが使用される。この記憶装置２には、画像データ２１が記憶されている。
【００３２】
次に、上記装置の動作について説明する。図２は、図１に示す画像処理装置の動作を説明するフローチャートである。
【００３３】
まず、色文字特定部１１は、画像データ２１を読み出し、画像データ２１において色弱者が識別困難な特定色の色文字を特定する（ステップＳ１１）。このとき、背景色特定部１２は、画像データ２１における各文字の背景色を特定し、色文字特定部１１は、その背景色と文字自体の色とに基づいて色文字を特定し、背景色特定部１２は、その色文字の背景色を特定する。また、フォントサイズ特定部１３は、画像データ２１に基づいて、色文字特定部１１により特定された色文字のフォントサイズを特定する。
【００３４】
そして、色文字処理部１４は、特定された各色文字について、以下の処理を行う。色文字処理部１４は、特定された各色文字について、色文字の背景色が白色であるか否かを判定するとともに（ステップＳ２）、色文字のフォントサイズが所定のサイズ（例えば、１４ポイント、４ミリメートルなど）以上であるか否かを判定する（ステップＳ３，Ｓ４）。
【００３５】
背景色が白色であり、かつフォントサイズが所定のサイズ以上である場合、色文字処理部１４は、色文字およびそれを含む背景の周辺領域に対してハッチング（網掛け）を施す（ステップＳ５）。背景色が白色でありフォントサイズが大きい場合には、色文字の存在は認識されるものの、その色は一般色覚者とは異なる色として認識されるため、そのことを色弱者に知らせるために、ハッチングが施される。また、この場合、色変換処理を行わなくても色弱者が識別可能であるので、色変換処理をせず、一般色覚者にも違和感なくこの色文字が認識されるようにする。
【００３６】
背景色が白色であり、かつフォントサイズが所定のサイズより小さい場合、色文字処理部１４は、色文字に対して色変換処理および下線の付加を行う（ステップＳ６）。背景色が白色であってもフォントサイズが小さい場合には、色文字の存在が認識されない虞があるため、色変換処理が行われるとともに、その色は一般色覚者とは異なる色として認識されるため、そのことを色弱者に知らせるために、下線が付加される。フォントサイズが小さい場合、ハッチングを行うと、更に認識しにくくなる可能性があるため、ハッチングの代わりに下線（実線、破線、波線など）が付加される。
【００３７】
例えば、色変換後の色には、「色覚の多様性に配慮した案内・サイン・図表等用のカラーユニバーサルデザイン推奨配色セット（色のバリアフリーに配慮した色見本）」（http://ｊｆｌｙ．ｉａｍ．ｕ−ｔｏｋｙｏ．ａｃ．ｊｐ／ｃｏｌｏｒ／ＣＵＤ＿ｓｅｔ／）に記載の色が使用される。この文献において、小文字については、赤（ＪＰＭＡ色票Ｆ０８−５０Ｖ，マンセル値８．７５Ｒ  ５／１２）、黄色（ＪＰＭＡ色票Ｆ２７−８５Ｖ，マンセル値７．５Ｙ  ８．５／１２）、緑（ＪＰＭＡ色票Ｆ４７−６０Ｔ，マンセル値７．５Ｇ  ６／１９）、青（ＪＰＭＡ色票Ｆ７７−４０Ｖ，マンセル値７．５ＰＢ  ４／１２）などの使用が推奨されているため、この実施の形態では、これらの色のうち、元の色に近い色が、色変換後の色に選択される。
【００３８】
背景色が白色ではなく、かつフォントサイズが所定のサイズ以上である場合、色文字処理部１４は、色文字に対して縁取り処理を行う（ステップＳ７）。色文字の色との組み合わせで識別しやすい色で縁取りが行われる。フォントサイズが大きい場合、縁取りを行っても文字が潰れる可能性が少ないため、縁取りにより文字を識別しやすくする。また、この場合、色変換処理を行わなくても色弱者が識別可能であるので、色変換処理をせずに一般色覚者にも違和感なくこの色文字が認識される。
【００３９】
背景色が白色ではなく、かつフォントサイズが所定のサイズより小さい場合、色文字処理部１４は、色文字に対して明度差増加処理または色変換処理を行う（ステップＳ８）。フォントサイズが小さい場合には、色文字の存在が認識されない虞があるため、ステップＳ６と同様の色変換処理、または明度差増加処理が行われる。
【００４０】
以上のように、上記実施の形態によれば、色文字特定部１１は、画像データ２１において色弱者が識別困難な特定色の色文字を特定する。背景色特定部１２は、色文字特定部１１により特定された色文字の背景色を特定する。フォントサイズ特定部１３は、色文字特定部１１により特定された色文字のフォントサイズを特定する。そして、色文字処理部１４は、その色文字の背景色が白色であるか否かおよび色文字のフォントサイズに応じた処理を色文字に施す。
【００４１】
これにより、色弱者が識別しづらい色文字について、背景色およびフォントサイズの両方を考慮して色文字についての対応処理を決定することで、画像内のほとんどすべての色文字が、色弱者にとって区別しやすくかつ見やすくなる。
【００４２】
なお、上述の実施の形態は、本発明の好適な例であるが、本発明は、これらに限定されるものではなく、本発明の要旨を逸脱しない範囲において、種々の変形、変更が可能である。
【００４３】
上記実施の形態では、画像処理装置が画像形成装置に内蔵されているが、その代わりに、パーソナルコンピュータにおいて所定のプログラムを実行させることにより上述の画像処理装置を実現し、ＰＤＦファイルなどの各種フォーマットの画像ファイルに対して、上述の色文字処理を行うようにしてもよい。
【産業上の利用可能性】
【００４４】
本発明は、例えば、色弱者用書類の画像データを生成することに適用可能である。
【符号の説明】
【００４５】
１１  色文字特定部
１２  背景色特定部
１３  フォントサイズ特定部
１４  色文字処理部
２１  画像データ
【図１】
2011097203.tif 000003
【図２】
2011097203.tif 000004